(57)【特許請求の範囲】
【請求項１】
下記一般式（１）で表される化合物（ａ）からなるしみ発生抑制剤と、界面活性剤（ｂ）と、水とを含有し、（ａ）／（ｂ）質量比が１０／１〜１／１０である、繊維製品処理用水性組成物。
Ｒ1−Ｚ−ＣＨ2ＣＨ（ＯＨ）ＣＨ2ＯＨ      （１）
〔式中、Ｒ1は炭素数５〜２０の炭化水素基であり、Ｚは−Ｏ−、又は−ＣＯＯ−のいずれかである。〕
【請求項２】
繊維製品に噴霧して用いられる、請求項１記載の繊維製品処理用水性組成物。
【請求項３】
消臭剤、芳香剤、殺虫剤、しわ除去剤、アイロン補助剤、スプレー式帯電防止剤、及び花粉又はダニアレルゲン対策製品から選ばれる製品として用いられる請求項１又は２記載の繊維製品処理用水性組成物。
【請求項４】
請求項１〜３の何れか１項記載の水性組成物を噴霧容器に充填してなる、スプレー式繊維製品処理剤。
【請求項５】
下記一般式（１）で表される化合物（ａ）を、界面活性剤（ｂ）を含む繊維製品処理用水性組成物と共に用いて繊維製品を処理することにより、繊維製品に生じるしみの発生を抑制する方法であって、前記化合物（ａ）と前記界面活性剤（ｂ）とを、（ａ）／（ｂ）＝１０／１〜１／１０の質量比で用い、前記化合物（ａ）を前記繊維製品処理用水性組成物と共に繊維製品に噴霧して処理する、方法。
Ｒ1−Ｚ−ＣＨ2ＣＨ（ＯＨ）ＣＨ2ＯＨ      （１）
〔式中、Ｒ1は炭素数５〜２０の炭化水素基であり、Ｚは−Ｏ−、又は−ＣＯＯ−のいずれかである。〕
【発明の詳細な説明】
【技術分野】
【０００１】
本発明は、繊維製品に生じるしみの発生を抑制できるしみ発生抑制剤に関する。
【背景技術】
【０００２】
洗濯習慣の変化により、スーツ等のドライクリーニング衣料（いわゆるドライマークが付された衣料）に代表されるような肌に直接触れない衣料は着てすぐに洗わない習慣が増えているが、その一方で洗わない衣料のしわや匂いを気にしており、洗濯とは別の手段による衣料のしわ除去性能や様々な匂いに対する消臭性能が求められている。これまでに、様々な悪臭成分に対する消臭技術や熱処理を行わずに衣料のしわを伸ばす技術が開示されているが、多くは水の含有量が多く、水溶性物質を使用していることから、しみになりやすく、また、ドライクリーニングで除去できないことが多い。
【０００３】
特許文献１には、陽イオン性界面活性剤又は両性界面活性剤とキレート剤を併用する消臭技術、特許文献２には、香料等の消臭基剤と陽イオン界面活性剤と特定の溶剤を併用する消臭技術、特許文献３には、植物からの抽出物を主成分とする消臭基材、香料、エタノール及び界面活性剤を併用する消臭技術、特許文献４には、ベタイン型両性化合物、非イオン性界面活性剤、及び陰イオン界面活性剤を併用する消臭技術が開示されている。また、特許文献５には特定のアルコール、グリセリン、非イオン性界面活性剤と水によるしわ除去技術、特許文献６にはポリエーテル変性シリコーン、４級アンモニウム型抗菌剤と植物から抽出した消臭基剤を併用する消臭抗菌しわ除去技術が記載されている。しかし、これらに用いられている基剤（有効成分）は、水溶性であるものが多く、しみ、特にスプレー処理などにより輪じみになったり、一旦しみになった場合は、ドライクリーニングで除去することが困難であったりする。
【０００４】
かかる状況から、ドライクリーニング衣料等の繊維製品に親水性物質を付着処理する方法において、しみ発生を抑制し、且つドライクリーニング処理において基剤を容易に除去することができる技術が望まれていた。
【特許文献１】特開２００１−４０５８１号公報
【特許文献２】特開２００１−７０４２３号公報
【特許文献３】特開２００１−１７８８０６号公報
【特許文献４】特開２００４−１７６２２５号公報
【特許文献５】特開平１−６１７４号公報
【特許文献６】特開２００３−９６６６７号公報
【発明の開示】
【発明が解決しようとする課題】
【０００５】
本発明は、ドライクリーニング衣料等の繊維製品に、水性の処理剤組成物中の基剤を付着させて処理する際に、しみ発生を抑制し、且つドライクリーニング処理において基剤を容易に除去することができるしみ発生抑制剤を提供することを課題とする。
【課題を解決するための手段】
【０００６】
本発明者らは、特定のエーテル化合物又はエステル化合物を用いることにより、ドライクリーニング衣料等の繊維製品を水性の繊維製品処理用組成物で処理する際に、しみ発生を抑制し、且つドライクリーニング処理において基剤を容易に除去することができることを見出した。
【０００７】
本発明は、下記一般式（１）で表される化合物（ａ）からなる、界面活性剤を含有する繊維製品処理用水性組成物により生じるしみの発生を抑制する、しみ発生抑制剤に関する。一般式（１）で表される化合物（ａ）からなる、しみ発生抑制剤に関する。
Ｒ1−Ｚ−ＣＨ2ＣＨ（ＯＨ）ＣＨ2ＯＨ      （１）
〔式中、Ｒ1は炭素数５〜２０の炭化水素基であり、Ｚは−Ｏ−、又は−ＣＯＯ−のいずれかである。〕
【０００８】
また、本発明は、上記本発明のしみ発生抑制剤と、界面活性剤（ｂ）〔以下、（ｂ）成分という〕と、水とを含有する繊維製品処理用水性組成物、該水性組成物を噴霧容器に充填してなる、スプレー式繊維製品処理剤に関する。
【０００９】
また、本発明は、上記一般式（１）で表される化合物（ａ）〔以下、（ａ）成分という〕を、界面活性剤を含む繊維製品処理用水性組成物と共に用いて繊維製品を処理することにより、繊維製品に生じるしみの発生を抑制する方法に関する。
【発明の効果】
【００１０】
本発明のしみ発生抑制剤は、ドライクリーニング衣料等の繊維製品を水性の繊維製品処理用組成物で処理して基剤を付着させる際に、しみ発生を抑制し、且つドライクリーニング処理において基剤を容易に除去することができる。本発明は、界面活性剤を含有する水性の繊維製品処理用組成物で、繊維製品、特にドライクリーニング衣料を、処理、特に部分的に処理する、あるいは多量の液状媒体を用いずに処理する際のしみ発生抑制技術として好適である。
【発明を実施するための最良の形態】
【００１１】
本発明は、しわ除去剤、消臭剤といった繊維製品を処理するための水性処理組成物を繊維製品に適用した場合に生じるしみ、輪じみの発生を抑制するものである。一般に、繊維製品処理用組成物は、基剤の他に、界面活性剤（基剤の一部として配合される場合もある）や水を含有するため、繊維製品に輪じみを発生させやすいが、本発明によりこのような問題を解決できる。また、本発明のしみ発生抑制剤を適用して輪じみの発生が抑制されたドライクリーニング衣料では、処理後、ドライクリーニング処理に供することで、基剤を容易に除去することが可能となる。
【００１２】
＜しみ発生抑制剤＞
（ａ）成分の一般式（１）において、Ｒ1は炭素数５〜２０の炭化水素基であり、好ましくは炭素数５〜１８、より好ましくは５〜１６、更に好ましくは５〜１２の直鎖もしくは分岐鎖のアルキル基又はアルケニル基であり、特に好ましくは、炭素数６〜１０の直鎖もしくは分岐鎖のアルキル基であり、Ｚは、−Ｏ−又は−ＣＯＯ−のいずれかであるが、−Ｏ−がより好ましい。なお、本質的に本発明のしみ発生抑制剤は、（ａ）成分からなるが、繊維製品処理用水性組成物への適用を妨げない範囲で他の成分を含むこともできる。
【００１３】
＜繊維製品処理用水性組成物＞
本発明の繊維製品処理用水性組成物は、上記本発明のしみ発生抑制剤、すなわち（ａ）成分と、（ｂ）成分の界面活性剤と、水とを含有する。
【００１４】
（ｂ）成分は、特に制限はなく、陽イオン界面活性剤、陰イオン界面活性剤、両性界面活性剤、及び非イオン界面活性剤が挙げられる。
【００１５】
陽イオン界面活性剤としては、分子中に炭素数８〜１８、好ましくは８〜１４、より好ましくは８〜１２の炭化水素基、炭素数１〜３のヒドロキシアルキル基、又はベンジル基を有する第四級アンモニウム塩化合物が好ましい。
【００１６】
より好ましい陽イオン界面活性剤は、炭素数８〜１２のアルキル基を１つ又は２つと、残りが炭素数１〜３のアルキル基、炭素数１〜３のヒドロキシアルキル基、又はベンジル基を有する第四級アンモニウム塩化合物である。塩を形成するイオンとしては、ハロゲンイオン、炭素数１〜３のアルキル硫酸エステルイオン、炭素数１〜３のアルキル基が１〜３個置換していてもよいベンゼンスルホン酸イオン、炭素数１〜１２の脂肪酸イオンが好ましい。
【００１７】
陰イオン界面活性剤としては、炭素数１０〜１６のアルキル基を有するアルキルベンゼンスルホン酸塩、アルキル基の炭素数が８〜１６、オキシエチレン基の平均付加モル数が１〜４のポリオキシエチレンアルキルエーテル硫酸エステル塩、炭素数８〜１６のアルカンスルホン酸塩、炭素数１２〜２０の脂肪酸のメチルエステル又はエチルエステルのスルホン化物のアルカリ金属塩、アルカリ土類金属塩を挙げることができる。なお、塩としてはアルカリ金属塩、アルカリ土類金属塩、アルカノールアミン塩である。
【００１８】
両性界面活性剤としては、下記一般式（２）で表される化合物及び／又は下記一般式（３）で表される化合物が好ましい。
【００１９】
【化１】
0004777122.tif 000002
【００２０】
（式中、Ｒ5は炭素数1０〜１６の直鎖炭化水素基であり、Ｒ6は炭素数２又は３のアルカンジイル基であり、Ｒ7及びＲ8はそれぞれ独立に炭素数１〜３のアルキル基及び／又はヒドロキシアルキル基である。Ａは−ＣＯＯ−基又は−ＣＯＮＨ−基であり、ａは０又は１である。Ｅ-は−ＣＨ2ＣＯＯ-、−Ｃ3Ｈ6ＳＯ3-、又は−ＣＨ2ＣＨ（ＯＨ）ＣＨ2ＳＯ3-である。）
【００２１】
一般式（２）において、Ｒ5は、好ましくは炭素数１０〜１４の直鎖のアルキル基であり、Ｒ6は、エチレン基、トリメチレン基、又はプロパン−１，２−ジイル基であり、Ｒ7及びＲ8は、好ましくはメチル基、エチル基又はヒドロキシエチル基であり、Ｅは、好ましくは−ＣＨ2ＣＨ（ＯＨ）ＣＨ2ＳＯ3-であり、ａは好ましくは０である。
【００２２】
【化２】
0004777122.tif 000003
【００２３】
（式中、Ｒ9は分岐構造を有する炭素数８〜１６のアルキル基であり、Ｒ6、Ｒ7、Ｒ8、及び、Ａは前記と同じであり、ｂは０又は１の数である。）
【００２４】
一般式（３）において、Ｒ9は、好ましくは炭素数１０〜１４のアルキル基であり、好ましいＲ6、Ｒ7、Ｒ8、及び、Ａは、一般式（２）と同じであり、ｂは１が好ましい。
【００２５】
両性界面活性剤としては、特に一般式（３）で表されるアミンオキシド化合物が好ましい。
【００２６】
両性界面活性剤の好適例としては、ラウリルアミドプロピルアミン−Ｎ，Ｎ−ジメチル−Ｎ−オキシド（ラウリン酸とＮ，Ｎ−ジメチル−１，３−ジアミノプロパンとのアミド化合物を過酸化水素と反応させて得たもの）、ラウリルジメチルアミンオキシド（花王株式会社製、アンヒトール２０Ｎ）、ミリスチルジメチルアミンオキシド、Ｎ−ラウリル−Ｎ，Ｎ−ジメチル−Ｎ−（２−ヒドロキシ−３−スルホプロピル）アンモニウムベタイン、Ｎ−ラウリル−Ｎ，Ｎ−ジメチル−Ｎ−カルボシキメチルアンモニウムベタイン（花王株式会社製、アンヒトール２４Ｂ）、２−ラウリル−Ｎ−カルボキシメチル−Ｎ−ヒドロキシエチルイミダゾリニウムベタイン、Ｎ−ラウロイルアミノプロピル−Ｎ，Ｎ−ジメチル−Ｎ−（２−ヒドロキシ−３−スルホプロピル）アンモニウムベタイン、Ｎ−ラウロイルアミノプロピル−Ｎ，Ｎ−ジメチル−Ｎ−カルボシキメチルアンモニウムベタイン等が挙げられる。
【００２７】
非イオン界面活性剤としては、下記一般式（４）で表される化合物が好適である。
Ｒ10−Ｂ−（Ｒ12Ｏ）n−Ｒ11      （４）
（式中、Ｒ10は炭素数１０〜１８の直鎖又は分岐鎖のアルキル基又はアルケニル基であり、Ｒ11は水素原子又は炭素数１〜３のアルキル基である。Ｂは、−Ｏ−基又は−ＣＯＯ−基を示し、Ｒ12はエチレン基、トリメチレン基、プロパン−１，２−ジイル基から選ばれる１種以上の基であり、ｎは平均付加モル数を示し、５〜１５の数である。ｎ個の（Ｒ12Ｏ）は同じでも異なっていてもよい。Ｒ10〜Ｒ12、Ｂ、及びｎは、ＨＬＢ値が９〜１６の範囲に入るように選択される。）
【００２８】
一般式（４）のＲ10は、好ましくは炭素数１０〜１６、より好ましくは１０〜１４のアルキル基又はアルケニル基であり、Ｒ11は、好ましくは水素原子又は炭素数１〜２のアルキル基、より好ましくは水素原子又はメチル基、更に好ましくは水素原子であり、Ｒ12は、好ましくはエチレン基である。ｎは、好ましくは５〜１３、特に好ましくは６〜１２であり、Ｒ10〜Ｒ12、Ｂ、及びｎは、ＨＬＢ値が好ましくは９〜１５、特に好ましくは１０〜１５の範囲に入るように選択される。
【００２９】
ここで、ＨＬＢ値はグリフィン氏の方法（界面活性剤便覧、昭和３５年７月発行、産業図書株式会社、第３０７〜３１２頁）を採用し、グリフィン氏の方法で求めることができない化合物は、実験（界面活性剤便覧、第３１９〜３２０頁参照）で求めた値とする。
【００３０】
非イオン界面活性剤は、繊維製品処理用水性組成物が消臭剤として用いられる場合の消臭性能向上の観点から、ポリオキシエチレン（ｎ＝６〜１０）ラウリルエーテル、及び／又はポリオキシエチレン（ｎ＝５〜１２）モノアルキル（炭素数１２〜１４）エーテルが特に好ましい。
【００３１】
本発明の繊維製品処理用水性組成物中の（ａ）成分、（ｂ）成分の含有量は、該組成物の使用形態、使用目的、繊維製品の種類などによって適宜調整することができる。
【００３２】
本発明の繊維製品処理用水性組成物中の（ａ）成分の含有量は、通常０．０１質量％以上、好ましくは０．０１〜１０質量％、より好ましくは０．０１〜８質量％、更に好ましくは０．０１〜５質量％、更に好ましくは０．０１〜３質量％、特に好ましくは０．０１〜２質量％である。
【００３３】
本発明の繊維製品処理用水性組成物中の（ｂ）成分の含有量は、通常０．０１質量％以上、好ましくは０．０１〜１０質量％、より好ましくは０．０１〜８質量％、更に好ましくは０．０１〜５質量％、更に好ましくは０．０１〜３質量％、特に好ましくは０．０１〜２質量％である。
【００３４】
しみ発生抑制効果を高めるうえで、（ａ）成分及び（ｂ）成分の配合比率は、（ａ）／（ｂ）質量比で、好ましくは１０／１〜１／１０、より好ましくは８／１〜１／８、更に好ましくは５／１〜１／５、更に好ましくは５／１〜１／３、特に好ましくは５／１〜１／２である。
【００３５】
本発明の繊維製品処理用水性組成物において、（ａ）成分、（ｂ）成分以外の残部は水とすることができる。また、当該水性組成物の用途、使用目的などに応じて有効成分である基剤が配合される。また必要に応じて、本発明の効果を損なわない範囲で、更に、多価アルコール、溶剤、ゲル化剤、硫酸ナトリウムやＮ，Ｎ，Ｎ−トリメチルグリシン等の塩、ｐＨ調整剤、酸化防止剤、防腐剤、殺菌・抗菌剤、香料、色素、紫外線吸収剤等の他の成分を添加することができ、これらが基剤となる場合があってもよい。
【００３６】
溶剤としては、水、エタノール、イソプロパノール等の低級（炭素数３〜４）アルコール類、エチレングリコール、プロピレングリコール、グリセリン、ソルビトール等の多価アルコール類（炭素数２〜１２）、エチレングリコールやプロピレングリコールのモノエチル又はモノブチルエーテル、ジエチレングリコールやジプロピレングリコールのモノエチル又はモノブチルエーテル、ベンジルアルコール、ベンジルオキシエタノール、フェノール性化合物のエチレンオキシド又はプロピレンオキシド付加物等が挙げられる。
【００３７】
本発明の繊維製品処理用水性組成物のｐＨは、２５℃で６〜９．５が好ましく、皮膚刺激低減の観点から、ｐＨは６．５〜９．５が好ましく、６．８〜９が更に好ましい。
【００３８】
本発明の繊維製品処理用水性組成物のｐＨは、塩酸等の酸、又は水酸化ナトリウム等のアルカリを添加することにより調整することができる。
【００３９】
本発明の繊維製品処理用水性組成物の使用形態は、液状、ゲル状等とすることができる。液状の場合には、特にスプレー、ローション等として繊維製品に用いることができる。本発明の繊維製品処理用水性組成物は、特にミストタイプのスプレー容器に充填し、一回の噴霧量を０．１〜１ｍｌに調整したものが好ましい。使用するスプレー容器としては、トリガースプレー容器（直圧あるいは蓄圧型）やディスペンサータイプのポンプスプレー容器等の公知のスプレー容器を用いることができる。
【００４０】
本発明の技術は、繊維製品に噴霧する水性組成物に応用することができ、具体的には消臭剤、芳香剤、殺虫剤、しわ除去剤、アイロン補助剤、スプレー式帯電防止剤、花粉やダニアレルゲン対策製品などを挙げることができ、特に消臭剤、芳香剤、しわ除去剤は、界面活性剤が配合されることが多く、輪しみが発生しやすいため、本発明の技術が非常に有効になる。特に、各製品の有効成分とを含有する水性組成物をスプレー容器に収容してなるスプレー式の製品に本発明は好適である。
【００４１】
本発明のしみ発生抑制剤を含有する消臭剤組成物としては、具体的には下記の組成物を挙げることができる。該組成物は、スプレー式消臭剤として好適である。
＜消臭剤組成物＞
（ａ）成分；０．０１〜２質量％、好ましくは０．０１〜１．０質量％、より好ましくは０．０１〜０．５質量％
消臭基剤；０．０１〜２質量％、好ましくは０．０１〜１．０質量％
香料組成物；０．０１〜２質量％、好ましくは０．０１〜１．０質量％
（ｂ）成分；０．０１〜２質量％、好ましくは０．０１〜１．０質量％
水溶性溶剤；０〜５０質量％、好ましくは０．５〜１０質量％
その他成分；０〜５質量％
残部；水
【００４２】
消臭基剤としては、一般に消臭効果を有することが知られている植物抽出物、シクロデキストリンなどの包接化合物、中和消臭効果を有する緩衝剤を挙げることができる。
【００４３】
また、本発明のしみ発生抑制剤を含有する、しわ除去剤組成物としては、具体的には下記の組成物を挙げることができる。該組成物は、スプレー式しわ除去剤として好適である。
＜しわ除去剤組成物＞
（ａ）成分；０．０１〜５質量％、好ましくは０．０３〜２質量％
シリコーン化合物；０．００１〜５質量％、好ましくは０．０１〜１質量％
（ｂ）成分；０．０１〜５質量％、好ましくは０．０５〜１質量％
高分子化合物（シリコーン化合物以外のもの）；０〜２質量％、好ましくは０．００５〜０．５質量％
水溶性有機溶剤；０．１〜５０質量％、好ましくは０．５〜２５質量％
その他成分；０〜５質量％
残部：水
【実施例】
【００４４】
実施例１〜６及び比較例１〜３
＜繊維製品処理用水性組成物の調製＞
表１に示す配合処方の繊維製品処理用水性組成物を調製した。得られた組成物は、ｐＨ調整剤（１規定の塩酸又は１／１０規定の水酸化ナトリウム水溶液）でｐＨ８（２５℃）に調整した。表１中の記号の成分は下記のとおりである。
【００４５】
（ａ）成分
・ａ−１：一般式（１）中のＲ1炭素数６の直鎖アルキル基、Ｚが−Ｏ−である化合物
・ａ−２：一般式（１）中のＲ1が２−エチルヘキシル基、Ｚが−Ｏ−である化合物
・ａ−３：一般式（１）中のＲ1が炭素数７の直鎖アルキル基、Ｚが−ＣＯＯ−である化合物
【００４６】
（ｂ）成分
・ｂ−１：ドデシルベンゼンスルホン酸（陰イオン性界面活性剤）
・ｂ−２：Ｎ−ラウリル−Ｎ，Ｎ−ジメチル−Ｎ−ベンジルアンモニウムクロリド（陽イオン性界面活性剤）
・ｂ−３：炭素数１２の直鎖第１級アルコールにエチレンオキサイド（ＥＯ）を平均８モル付加させたポリオキシエチレンアルキルエーテル（非イオン性界面活性剤）
・ｂ−４：ラウリルアミドプロピルアミン−Ｎ，Ｎ−ジメチル−Ｎ−オキサイド（ラウリル酸とＮ，Ｎ−ジメチル−１，３−ジアミノプロパンとのアミド化合物を過酸化水素と反応させて得たもの）（両性界面活性剤）
【００４７】
＜しみ発生抑制効果の評価方法＞
ポリエステル／綿混紡生地（裏綿トロピカル、Ｔ−７６７０５、チクマ社製、ポリエステル９５％、綿５％）からなる試験布１０ｃｍ×１０ｃｍに、表１に示す繊維製品処理用水性組成物をスプレー容器（スプレーバイアル、マルエム社製）を用いて、約５ｃｍの距離から２回噴霧した後、２５℃／５０％ＲＨの恒温室に１２時間放置し、自然乾燥させた。これをしみ評価サンプルとした。
【００４８】
＜しみ回復効果の評価方法＞
繊維製品処理用水性組成物をスプレー処理した布を半裁し、その一片を１００ｍＬガラス瓶（Ｎｏ．１１規格ビン、社製）に入れ、浴比が１／５になるようにドライクリーニング溶剤（ニッコーホワイトＮ−１０、日鉱石油化学株式会社製）約１０ｇを注入する。密閉した容器を１５秒間振とうさせた後、試験片を取り出し、２５℃／５０％ＲＨの恒温室に１２時間放置し、自然乾燥させた。これをしみ回復性評価サンプルとした。
【００４９】
＜しみ判定方法＞
判定は、繊維製品処理用水性組成物をスプレー処理した布、又はドライクリーニング溶剤にて洗浄処理した布と、処理前の布（対照）とを、熟練した５人のパネラーに下記の基準で採点してもらい、平均点を求めた。しみ発生抑制効果としては、３点以下が好ましく、しみ回復効果としては、２点以下が好ましい。
１：全くしみがない
２：ほとんどしみがない
３：僅かにしみがある
４：相当しみがある
５：著しくしみが目立つ
【００５０】
【表１】
0004777122.tif 000004
【００５１】
表１から、比較例１〜３の組成物は、しみ発生抑制効果及びしみ回復効果が不十分であるのに対し、実施例１〜６の繊維製品処理用水性組成物は、しみ発生抑制効果及びしみ回復効果が高いことが分かる。このしみ回復効果が高いことは、ドライクリーニング処理において基剤を容易に除去できることを意味する。
【００５２】
＜配合例１＞
表２に本発明の効果を有する水性組成物の配合例を示す。該組成物は、消臭剤組成物として好適である。これらは、トリガー式スプレーヤーを用いて衣料に噴霧した場合、しみ発生抑制剤を含有しない組成物に対して、しみになりにくく、且つしみ回復性が高い。
【００５３】
【表２】
0004777122.tif 000005
【００５４】
１）平均ＥＯ付加モル数８のポリオキシエチレンラウリルエーテル
２）ラウリルアミドプロピルアミン−Ｎ，Ｎ−ジメチル−Ｎ−オキシド（ラウリン酸とＮ，Ｎ−ジメチル−１，３−ジアミノプロパンとのアミド化合物を過酸化水素と反応させて得たもの
３）ケイ皮酸エチル５質量部、酢酸リナリル１０質量部、リラール１５質量部、ヘキシルシンナミックアルデヒド１０質量部、パーライド１０質量部、フェニルエチルアルデヒド２０質量部、セダーアルコール１０質量部、及びリモネン２０質量部からなる調合香料
４）プロキセルＢＤＮ（アビシア株式会社製）
５）ｐＨを８．０（２５℃）にするために必要な量（以下同様）
【００５５】
＜配合例２＞
表３に本発明の効果を有する水性組成物の配合例を示す。該組成物は、しわ除去剤組成物として好適である。これらは、トリガー式スプレーヤーを用いて衣料に噴霧した場合、しみ発生抑制剤を含有しない組成物に対して、しみになりにくく、且つしみ回復性が高い。なお、表３中の成分で記号が同じものは表２中のものと同じ成分である。
【００５６】
【表３】
0004777122.tif 000006
【００５７】
６）下記一般式（Ｉ）中のＲが炭素数１８の直鎖アルキル基、ｍが３８、ｎが６の数であり、Ｒ−Ｏ−に（Ｃ2Ｈ4Ｏ）と（Ｃ3Ｈ6Ｏ）がこの順でブロック付加した化合物
Ｒ−Ｏ−（Ｃ3Ｈ6Ｏ）m−（Ｃ2Ｈ4Ｏ）n−Ｈ    （Ｉ）
７）下記一般式（II）中のＲが炭素数１８の直鎖アルキル基、ｍが３０、ｎが５の数であり、（Ｃ2Ｈ4Ｏ）と（Ｃ3Ｈ6Ｏ）がランダム付加である化合物
Ｒ−Ｏ−［（Ｃ3Ｈ6Ｏ）m／（Ｃ2Ｈ4Ｏ）n］−Ｈ    （II）